(57)【要約】  ごみを投入する容器の開口部を蓋で閉塞した状態において、ごみからの臭いが容器と蓋との間の隙間から外部に漏れ出ることのないごみ箱を提供することを課題とする。  外側容器（１０）と、外側容器の内部に配置され、内部にごみが投入される内側容器（１２）と、外側容器に回動可能に取り付けられ、外側容器の開口部を閉塞する開閉可能な外蓋（１４）と、外蓋の下面に取り付けられ、外蓋と一緒に動く内蓋（１６）とを具備し、外側容器の開口部を外蓋で閉塞した状態において、内蓋の下面が内側容器の上端に密着するごみ箱とする。
2008023411.tif 000002
【特許請求の範囲】
【請求項１】
外側容器と、前記外側容器の内部に配置され、内部にごみが投入される内側容器と、前記外側容器に回動可能に取り付けられ、外側容器の開口部を閉塞する開閉可能な外蓋と、前記外蓋の下面に取り付けられ、外蓋と一緒に動く内蓋とを具備し、前記外側容器の開口部を前記外蓋で閉塞した状態において、前記内蓋の下面が前記内側容器の上端に密着することを特徴とするごみ箱。
【請求項２】
内蓋はシリコーンゴムからなる可撓性を有するものであることを特徴とする請求項１に記載のごみ箱。
【請求項３】
外蓋の下面には、中央部に鉤部、基端部にヒンジ取付部、先端部に内蓋取付部が設けられ、内蓋の上面中央には孔が形成された突片が設けられ、内蓋の先端部には孔が形成されているとともに、前記内蓋の上面中央の孔に前記外蓋の鉤部が挿入され、前記内蓋の先端部の孔に前記外蓋の内蓋取付部が挿入されており、内蓋の下面が内側容器の上端に密着した状態では前記鉤部が内蓋を下方に押圧することにより内側容器の内部が負圧状態になるとともに、外蓋と内蓋を開くときには前記内蓋取付部が内蓋の先端部を持ち上げることにより内側容器の内部が大気に開放されることを特徴とする請求項１または２に記載のごみ箱。
【請求項４】
前記外蓋の内蓋取付部は、平板部の下端に幅広部が連設されたものであり、前記平板部の幅は前記内蓋の先端部の孔の径の長さよりも短く、前記幅広部の幅は前記内蓋の先端部の孔の径の長さよりも長いことを特徴とする請求項３に記載のごみ箱。
【請求項５】
外蓋の下面には、基端部近傍に断面Ｌ字状の内蓋保持部が設けられているとともに、前記の内蓋保持部の水平板部が内蓋の下方に位置していることを特徴とする請求項１〜４のいずれか１項に記載のごみ箱。
【請求項６】
内側容器の上端に外側に折り返された折り返し部が設けられているとともに、前記折り返し部に孔が形成され、前記孔に取っ手の両端部が挿入されていることを特徴とする請求項１〜５のいずれか１項に記載のごみ箱。
【請求項７】
内側容器の上端のやや下方に内方に膨出する段部を形成するとともに、内側容器に前記段部上に配置されるごみ袋止めリングを付属させたことを特徴とする請求項１〜６のいずれか１項に記載のごみ箱。
【請求項８】
外蓋の下部にペダルが設けられているとともに、前記ペダルを足で踏むことにより外蓋と内蓋が一緒に開くことを特徴とする請求項１〜７のいずれか１項に記載のごみ箱。
【請求項９】
外側容器と、前記外側容器の内部に配置された内側容器とからなる容器の蓋であって、前記外側容器に回動可能に取り付けられ、外側容器の開口部を閉塞する開閉可能な外蓋と、前記外蓋の下面に取り付けられ、外蓋と一緒に動く内蓋とを具備し、前記外側容器の開口部を前記外蓋で閉塞した状態において、前記内蓋の下面が前記内側容器の上端に密着することを特徴とする容器の蓋。
【請求項１０】
内蓋はシリコーンゴムからなる可撓性を有するものであることを特徴とする請求項９に記載の容器の蓋。
【請求項１１】
外蓋の下面には、中央部に鉤部、基端部にヒンジ取付部、先端部に内蓋取付部が設けられ、内蓋の上面中央には孔が形成された突片が設けられ、内蓋の先端部には孔が形成されているとともに、前記内蓋の上面中央の孔に前記外蓋の鉤部が挿入され、前記内蓋の先端部の孔に前記外蓋の内蓋取付部が挿入されており、内蓋の下面が内側容器の上端に密着した状態では前記鉤部が内蓋を下方に押圧することにより内側容器の内部が負圧状態になるとともに、外蓋と内蓋を開くときには前記内蓋取付部が内蓋の先端部を持ち上げることにより内側容器の内部が大気に開放されることを特徴とする請求項９または１０に記載の容器の蓋。
【請求項１２】
前記外蓋の内蓋取付部は、平板部の下端に幅広部が連設されたものであり、前記平板部の幅は前記内蓋の先端部の孔の径の長さよりも短く、前記幅広部の幅は前記内蓋の先端部の孔の径の長さよりも長いことを特徴とする請求項１１に記載の容器の蓋。
【請求項１３】
外蓋の下面には、基端部近傍に断面Ｌ字状の内蓋保持部が設けられているとともに、前記の内蓋保持部の水平板部が内蓋の下方に位置していることを特徴とする請求項９〜１２のいずれか１項に記載の容器の蓋。
【発明の詳細な説明】
【技術分野】
【０００１】
本発明は、ごみを投入する容器と、この容器の開口部を閉塞する蓋とを有するごみ箱に関する。また、本発明は、容器の開口部を閉塞する蓋に関する。
【背景技術】
【０００２】
従来、ごみを投入する容器と、この容器の開口部を閉塞する蓋とを有するごみ箱が知られている（例えば、特許文献１参照）。【０００３】
【特許文献１】特開平７−４１１０５号公報
【発明の開示】
【発明が解決しようとする課題】
【０００４】
しかし、従来の容器と蓋を有するごみ箱は、容器の開口部を蓋で閉塞した状態において容器と蓋との間に隙間が生じ、ごみからの臭いが容器と蓋との間の隙間から外部に漏れ出るという欠点を有していた。【０００５】
本発明は、前述した事情に鑑みてなされたもので、ごみを投入する容器の開口部を蓋で閉塞した状態において、ごみからの臭いが容器と蓋との間の隙間から外部に漏れ出ることのないごみ箱を提供することを目的とする。また、本発明は、ごみ箱などの容器から臭いが外部に漏れ出ることを防止することができる容器の蓋を提供することを目的とする。
【課題を解決するための手段】
【０００６】
本発明は、前記目的を達成するため、下記（１）〜（８）に示すごみ箱および（９）〜（１３）に示す容器の蓋を提供する。
（１）外側容器と、前記外側容器の内部に配置され、内部にごみが投入される内側容器と、前記外側容器に回動可能に取り付けられ、外側容器の開口部を閉塞する開閉可能な外蓋と、前記外蓋の下面に取り付けられ、外蓋と一緒に動く内蓋とを具備し、前記外側容器の開口部を前記外蓋で閉塞した状態において、前記内蓋の下面が前記内側容器の上端に密着することを特徴とするごみ箱。
（２）内蓋はシリコーンゴムからなる可撓性を有するものであることを特徴とする（１）のごみ箱。
（３）外蓋の下面には、中央部に鉤部、基端部にヒンジ取付部、先端部に内蓋取付部が設けられ、内蓋の上面中央には孔が形成された突片が設けられ、内蓋の先端部には孔が形成されているとともに、前記内蓋の上面中央の孔に前記外蓋の鉤部が挿入され、前記内蓋の先端部の孔に前記外蓋の内蓋取付部が挿入されており、内蓋の下面が内側容器の上端に密着した状態では前記鉤部が内蓋を下方に押圧することにより内側容器の内部が負圧状態になるとともに、外蓋と内蓋を開くときには前記内蓋取付部が内蓋の先端部を持ち上げることにより内側容器の内部が大気に開放されることを特徴とする（１）または（２）のごみ箱。
（４）前記外蓋の内蓋取付部は、平板部の下端に幅広部が連設されたものであり、前記平板部の幅は前記内蓋の先端部の孔の径の長さよりも短く、前記幅広部の幅は前記内蓋の先端部の孔の径の長さよりも長いことを特徴とする（３）のごみ箱。
（５）外蓋の下面には、基端部近傍に断面Ｌ字状の内蓋保持部が設けられているとともに、前記の内蓋保持部の水平板部が内蓋の下方に位置していることを特徴とする（１）〜（４）のごみ箱。
（６）内側容器の上端に外側に折り返された折り返し部が設けられているとともに、前記折り返し部に孔が形成され、前記孔に取っ手の両端部が挿入されていることを特徴とする（１）〜（５）のごみ箱。
（７）内側容器の上端のやや下方に内方に膨出する段部を形成するとともに、内側容器に前記段部上に配置されるごみ袋止めリングを付属させたことを特徴とする（１）〜（６）のごみ箱。
（８）外蓋の下部にペダルが設けられているとともに、前記ペダルを足で踏むことにより外蓋と内蓋が一緒に開くことを特徴とする（１）〜（７）のごみ箱。
（９）外側容器と、前記外側容器の内部に配置された内側容器とからなる容器の蓋であって、前記外側容器に回動可能に取り付けられ、外側容器の開口部を閉塞する開閉可能な外蓋と、前記外蓋の下面に取り付けられ、外蓋と一緒に動く内蓋とを具備し、前記外側容器の開口部を前記外蓋で閉塞した状態において、前記内蓋の下面が前記内側容器の上端に密着することを特徴とする容器の蓋。
（１０）内蓋はシリコーンゴムからなる可撓性を有するものであることを特徴とする（９）の容器の蓋。
（１１）外蓋の下面には、中央部に鉤部、基端部にヒンジ取付部、先端部に内蓋取付部が設けられ、内蓋の上面中央には孔が形成された突片が設けられ、内蓋の先端部には孔が形成されているとともに、前記内蓋の上面中央の孔に前記外蓋の鉤部が挿入され、前記内蓋の先端部の孔に前記外蓋の内蓋取付部が挿入されており、内蓋の下面が内側容器の上端に密着した状態では前記鉤部が内蓋を下方に押圧することにより内側容器の内部が負圧状態になるとともに、外蓋と内蓋を開くときには前記内蓋取付部が内蓋の先端部を持ち上げることにより内側容器の内部が大気に開放されることを特徴とする（９）または（１０）の容器の蓋。
（１２）前記外蓋の内蓋取付部は、平板部の下端に幅広部が連設されたものであり、前記平板部の幅は前記内蓋の先端部の孔の径の長さよりも短く、前記幅広部の幅は前記内蓋の先端部の孔の径の長さよりも長いことを特徴とする（１１）の容器の蓋。
（１３）外蓋の下面には、基端部近傍に断面Ｌ字状の内蓋保持部が設けられているとともに、前記の内蓋保持部の水平板部が内蓋の下方に位置していることを特徴とする（９）〜（１２）のごみ箱。【０００７】
本発明のごみ箱は、外側容器の開口部を外蓋で閉塞した状態において、内蓋の下面が内側容器の上端に密着するので、内側容器と内蓋との間に隙間が生じず、したがって内側容器に投入されたごみからの臭いが外部に漏れ出ることがない。本発明の容器の蓋は、外側容器の開口部を外蓋で閉塞した状態において、内蓋の下面が内側容器の上端に密着するので、内側容器と内蓋との間に隙間が生じず、したがって内側容器に投入された物品からの臭いが外部に漏れ出ることを防止することができる。
【発明の効果】
【０００８】
本発明のごみ箱は、ごみを投入する容器の開口部を蓋で閉塞した状態において、ごみからの臭いが容器と蓋との間の隙間から外部に漏れ出ることがない。また、本発明の容器の蓋は、容器内に投入された物品からの臭いが外部に漏れ出ることを防止することができる。
【図面の簡単な説明】
【０００９】
【図１】本発明に係るごみ箱の一実施形態を示すもので、（ａ）は蓋を開けた状態を示す斜視図、（ｂ）は蓋を閉じた状態を示す斜視図である。
【図２】（ａ）は図１のごみ箱の蓋を開けた状態を示す断面図、（ｂ）は図１のごみ箱の蓋を閉じた状態を示す断面図である。
【図３】（ａ）は図１のごみ箱の内側容器の上部を示す斜視図、（ｂ）は同内側容器の上部の拡大断面図である。
【図４】図１のごみ箱の内側容器を模式的に示す正面図である。
【図５】（ａ）〜（ｃ）は、ごみ袋をごみ袋止めリングに取り付けて内側容器内に収容する状態を示す説明図である。
【図６】外蓋の下面を示す斜視図である。
【図７】内蓋の下面を示す斜視図である。
【図８】外蓋の下面に内蓋を取り付けた状態を示す斜視図である。
【図９】（ａ）は図１のごみ箱の蓋を閉じた状態を示す説明図、（ｂ）は図１のごみ箱の蓋を開けた状態を示す説明図である。
【発明を実施するための最良の形態】
【００１０】
以下、本発明の実施の形態を図面を参照して説明するが、本発明は下記例に限定されるものではない。図１および図２は本発明に係るごみ箱の一実施形態を示すもので、図１（ａ）は蓋を開けた状態を示す斜視図、図１（ｂ）は蓋を閉じたた状態を示す斜視図、図２（ａ）は蓋を開けた状態を示す断面図、図２（ｂ）は蓋を閉じた状態を示す断面図である。本例のごみ箱は、外側容器１０と、外側容器１０の内部に配置され、内部にごみが投入される内側容器１２と、外側容器１０に回動可能に取り付けられ、外側容器１０の開口部を閉塞する開閉可能な外蓋１４と、外蓋１４の下面に取り付けられ、外蓋１４と一緒に動く内蓋１６とを具備する。【００１１】
外側容器１０は、ステンレススチールからなる円筒体１８の下端にプラスチックからなる台座２０が固定されているとともに、円筒体１８の上端にプラスチックからなるリング状フランジ体２２が固定された略有底円筒状のものである。リング状フランジ体２２の内径は、円筒体１８の内径および内蓋１６の径より大きく形成され、リング状フランジ体２２の内部に内蓋１６を収容できるようになっている。【００１２】
内側容器１２は、プラスチックにより一体に形成された略有底円筒状のものである。内側容器１２の後述する折り返し部２４以外の部分の外径は、外側容器１０の円筒体１８の内径よりも小さい。また、図３に示すように、内側容器１２の上端には外側に折り返された折り返し部２４が設けられているとともに、この折り返し部２４に円形孔２６が形成され、この円形孔２６に略半円形の金属製取っ手２８の両端部が挿入されている。さらに、内側容器１２の折り返し部２４の外縁３０は、外側容器１０の円筒体１８の上端に近接している。【００１３】
また、図３、図４に示すように、内側容器１２の上端のやや下方には、内方に膨出する段部１９が形成されているとともに、内側容器１２には上記段部１９上に配置されるごみ袋止めリング２１が付属している。そして、図５（ａ）に示すようにごみ袋止めリング２１の中にごみ袋２３の上部を通し、図５（ｂ）に示すようにごみ袋２３の上部を外側に折り返した後、図５（ｃ）に示すようにごみ袋２３を内側容器１２内に入れ、ごみ袋止めリング２１を段部１９上に配置することにより、内側容器１２内にごみ袋２３を収容できるようになっている。【００１４】
外蓋１４は、プラスチックにより一体に形成された略円形のもので、ヒンジ３２により外側容器１０に回動可能に取り付けられている。外蓋１４の下面には、図６（ａ）に示すように、中央部に先の曲がった所定長さの鉤部３４、基端部にヒンジ取付部３５およびシャフト取付部３６、基端部近傍に断面Ｌ字状の２つの内蓋保持部３７、３７、先端部に内蓋取付部３８が設けられている。上記内蓋取付部３８は、図６（ｂ）に示すように、平板部３９の下端に平板部３９よりも幅が広い幅広部４０が連設されたものである。【００１５】
内蓋１６は、シリコーンゴムにより一体に形成された略円形のもので、可撓性を有する。図７に示すように、内蓋１６の先端部には膨出部４１が設けられ、この膨出部４１に楕円形孔４２が形成されている。また、図示していないが、内蓋１６の上面中央には突片が設けられているとともに、この突片に円形孔が形成され、この円形孔に外蓋１４の鉤部３４の先の曲がった部分が挿入されている。さらに、図８に示すように、上記楕円形孔４２に外蓋１４の内蓋取付部３８の平板部３９が楕円形孔４２の長径方向と平板部３９の幅方向とを一致させた状態で挿入され、また、外蓋１４の内蓋保持部３７、３７の水平板部４４が内蓋１６の下方に配置されている。この場合、内蓋取付部３８の平板部３９の幅は楕円形孔４２の長径の長さよりも短く、内蓋取付部３８の幅広部４０の幅は楕円形孔４２の長径の長さよりも長いため、平板部３９は楕円形孔４２内でスライドすることができるとともに、幅広部４０によって内蓋取付部３８が楕円形孔４２から抜けることが防止されている。なお、図８は、本発明に係る容器の蓋の一実施形態を示している。【００１６】
内蓋としては、例えば特開２００６−１６０３７２号公報に記載されたものを好適に使用することができる。上記公報は、外表面および密封対象の容器と接触可能な内表面を有する容器用の蓋であり、この蓋はシリコーン材料製であり、この蓋は中央部と当該中央部を取り巻く外周部とを含み、この外周部の厚さ範囲は２．０ｍｍ〜４．０ｍｍであり、前記中央部の厚さは前記外周部の厚さを上回っている容器用の蓋を開示している。また、内蓋としては、川島工業株式会社が発売元であるＵＦＯラップ（商品名）を好適に用いることができる。【００１７】
本実施形態のごみ箱には、外蓋１０の台座２０にペダル４８が設けられているとともに、このペダル４８を足で踏むことにより外蓋１４と内蓋１６が一緒に開くようになっている。より具体的には、図９に示すように、軸部５０を中心として回動する回動板５２の一端がペダル４８に連結され、回動板５２の他端に金属製のシャフト５４の下端が連結され、このシャフト５４の上端のフック部が外蓋１４のシャフト取付部３６に設けられたシャフト挿入孔５８に挿入されている。そして、ペダル４８を足で踏むと回動板５２の他端が上昇してシャフト５４を押し上げ、このシャフト５４が外蓋１４を押し上げて外蓋１４と内蓋１６が一緒に開くようになっている。【００１８】
本実施形態のごみ箱は、図２（ｂ）に示すように、外側容器１０の開口部を外蓋１４で閉塞した状態において、内蓋１６の下面が内側容器１２の上端に密着するものである。【００１９】
上述した本実施形態のごみ箱の特徴は、下記（１）〜（５）の点にある。
（１）外側容器１０の開口部を外蓋１４で閉塞した状態において、内蓋１６の下面が内側容器１２の上端に密着するため、内側容器１２と内蓋１６との間に隙間が生じず、したがって内側容器１２に投入されたごみからの臭いが外部に漏れ出ることがない点。この場合、外蓋１４の鉤部３４が所定の長さを有し、内蓋１６を適度な圧力で下方に押圧するため、内蓋１６は全体的に撓んだ状態で内側容器１２の上端に強く密着し、その結果内側容器１２内は負圧状態になり、内側容器１２が内蓋１６によって完全に密閉される。また、外蓋１４の内蓋取付部３８の平板部３９は楕円形孔４２内でスライド可能であるため、内蓋取付部３８が内蓋１６を必要以上に下方に押圧することがなく、したがって内蓋１６の先端側が撓んで内側容器１２と内蓋１６との間に隙間が生じることがない。なお、平板部３９の長さが短すぎると、内蓋１６の先端側が浮いて内側容器１２と内蓋１６との間に隙間が生じることがあるため、平板部３９の長さは適切に設定する必要がある。また、平板部３９は楕円形孔４２内でスライド可能であればよく、棒状等の他の形状としてもよい。そして、ペダル４８を足で踏んで外蓋１４と内蓋１６を開けるときには、外蓋１４の内蓋取付部３８の幅広部４０が内蓋１６の先端部を持ち上げ、その結果内蓋１６の先端部と内側容器１２との間に隙間ができ、内側容器１２の内部が大気に開放されるため、内側容器１２が内蓋１６にくっついて持ち上がることはない。また、外蓋１４と内蓋１６を開き、内側容器１２内にごみを投入した後は、外蓋１４と内蓋１６を手で押して閉じるものであるが、外蓋１４の内蓋保持部３７、３７の水平板部４４を内蓋１６の下方に位置させているので、内蓋１６の基端側が垂れ下がって内側容器に引っ掛かることはない。
（２）内側容器１２の上端に外側に折り返された折り返し部２４を設け、この折り返し部２４に円形孔２６を形成するとともに、この円形孔２６に取っ手２８の両端部を挿入した点。これは、内側容器１２のごみを収納する部分に貫通孔を形成すると、内蓋１６の下面を内側容器１２の上端に密着させたときに内側容器１２内が負圧状態にならず、内側容器１２を内蓋１６によって密閉できなくなるとともに、ごみからの臭いが上記貫通孔から外部に漏れ出るからである。なお、内側容器１２に上記折り返し部２４を設けることなく、内側容器１２の上部に非貫通状態の凹部を形成し、この凹部に取っ手の両端部を挿入するようにしてもよい。
（３）内側容器１２の上端のやや下方に内方に膨出する段部１９を形成するとともに、内側容器１２に段部１９上に配置されるごみ袋止めリング２１を付属させ、図５に示した方法で内側容器１２内にごみ袋２３を収容するようにした点。これは、ごみ袋は通常は内側容器１２の上端から外側に折り返した状態で内側容器１２内に収容するが、そのようにしたのでは内側容器１２と内蓋１６との間にごみ袋が介在し、内蓋１６の下面を内側容器１２の上端に密着させることができなくなるからである。
（４）外側容器１０の円筒体１８の上端にリング状フランジ体２２を固定し、このリング状フランジ体２２の内径を円筒体１８の内径および内蓋１６の径よりも大きく形成した点。これは、外側容器１０の上端部内に内蓋１６を収容するスペースを設けるためである。
（５）内側容器１２の折り返し部２４の外縁３０を外側容器１０の円筒体１８の上端に近接させた点。これは、外側容器１０の上端部内に内蓋１６を収容するスペースを確保しつつ、外側容器１０と内側容器１２との間の隙間にごみが入ることを防止するためである。なお、内側容器１２に折り返し部２４を設けない場合は、内側容器１２の上端を外側容器１０の円筒体１８の上端に近接させればよい。【００２０】
本発明のごみ箱は、前述した実施の形態に限定されるものではなく、必要に応じて種々の変更が可能である。例えば、前述した実施の形態ではペダルを足で踏むことにより外蓋と内蓋を開くようにしたが、外蓋と内蓋を手で持ち上げて開くようにしてもよい。また、前述した実施の形態では内側容器、外側容器、外蓋および内蓋を円形としたが、これらは例えば三角形、四角形、楕円形等の他の形状としてもよい。さらに、外蓋の鉤部、内蓋保持部、内蓋取付部や、内蓋の先端部の孔、内蓋の上面中央の孔が形成された突片の形状、寸法なども適宜設定することができる。【００２１】
本発明に係る容器の蓋は、図８に示したように、外蓋に内蓋を取り付けたものである。本発明に係る容器の蓋は、外側容器とこの外側容器の内部に配置された内側容器とからなる容器であれば、ごみ箱以外の容器にも適用することができる。
【図１】
2008023411.tif 000003
【図２】
2008023411.tif 000004
【図３】
2008023411.tif 000005
【図４】
2008023411.tif 000006
【図５】
2008023411.tif 000007
【図６】
2008023411.tif 000008
【図７】
2008023411.tif 000009
【図８】
2008023411.tif 000010
【図９】
2008023411.tif 000011
【国際調査報告】
2008023411.tif 000012
2008023411.tif 000013
2008023411.tif 000014
2008023411.tif 000015